(57)【特許請求の範囲】
【請求項１】
建物本体から張り出すバルコニー構造であって、
前記建物本体から張り出す床部と、前記建物本体から張り出して前記床部の対向する側縁に立設される袖壁部と、前記袖壁部の上端間に架け渡される屋根部とを備え、
前記床部、前記袖壁部及び前記屋根部は、構造部材として外枠を形成するフレーム材と、前記フレーム材間に取り付けられる面材とによって構成され、
前記袖壁部の上端付近の前記フレーム材に、前記建物本体側に突出し、前記建物本体に載置される引掛け片が連結されることを特徴とするバルコニー構造。
【請求項２】
建物本体から張り出すバルコニーを形成するバルコニーユニットであって、
前記バルコニーの床を形成する床部と、前記床部の対向する側縁に立設される袖壁部と、前記袖壁部の上端間に架け渡される屋根部とを備え、
前記床部、前記袖壁部及び前記屋根部は、構造部材として外枠を形成するフレーム材と、前記フレーム材間に取り付けられる面材とによって構成され、
前記袖壁部の上端付近の前記フレーム材に、前記バルコニーを設ける建物本体側に突出し、前記建物本体に載置される引掛け片が連結されることを特徴とするバルコニーユニット。
【請求項３】
前記袖壁部の下端付近の前記フレーム材に、前記バルコニーを設ける建物本体側に連結するための連結手段を設けたことを特徴とする請求項２に記載のバルコニーユニット。
【請求項４】
前記袖壁部の前記建物本体側とは反対側の側端間に手摺材が取り付けられることを特徴とする請求項２又は３に記載のバルコニーユニット。
【発明の詳細な説明】
【技術分野】
【０００１】
本発明は、建物本体から張り出すバルコニー構造、及びバルコニー構造を構築するためのバルコニーユニットに関するものである。
【背景技術】
【０００２】
従来、外壁が貼り付けられた建物本体から張り出すキャンチレバー方式のバルコニー構造が知られている（特許文献１，２など参照）。
【０００３】
これらのバルコニー構造は、床とその縁部に腰壁程度の高さの手摺壁とを備えたバルコニーが建物から張り出して設けられるものである。
【０００４】
また、特許文献１には、ユニット化されたバルコニーを建物に取り付けるバルコニーの取付構造が開示されている。
【特許文献１】特開平８−１４４３６１号公報
【特許文献２】特許第３８７１９３９号公報
【発明の開示】
【発明が解決しようとする課題】
【０００５】
しかしながら、従来のバルコニー構造では、張り出させる床と建物本体との連結部が主に荷重を負担する部分となっていたので、その連結部に水平方向の荷重が集中して作用することになった。
【０００６】
また、屋根や壁に囲まれていないので、雨曝しになるうえに、バルコニーの上に庇を設けたい場合には、別途、取り付ける必要があった。
【０００７】
さらに、床と腰壁だけで構成されるバルコニーでは、斬新な外観を形成することが難しい。
【０００８】
そこで、本発明は、建物本体との連結箇所を分散できるうえに斬新な外観を創出することができるバルコニー構造、及びバルコニーユニットを提供することを目的としている。
【課題を解決するための手段】
【０００９】
前記目的を達成するために、本発明のバルコニー構造は、建物本体から張り出すバルコニー構造であって、前記建物本体から張り出す床部と、前記建物本体から張り出して前記床部の対向する側縁に立設される袖壁部と、前記袖壁部の上端間に架け渡される屋根部とを備えることを特徴とする。
【００１０】
また、本発明のバルコニーユニットは、建物本体から張り出すバルコニーを形成するバルコニーユニットであって、前記バルコニーの床を形成する床部と、前記床部の対向する側縁に立設される袖壁部と、前記袖壁部の上端間に架け渡される屋根部とを備えることを特徴とする。
【００１１】
ここで、前記床部、前記袖壁部及び前記屋根部は、構造部材として外枠を形成するフレーム材と、前記フレーム材間に取り付けられる面材とによって、パネル状に構成されるものとするのが好ましい。
【００１２】
また、前記袖壁部の上端付近の前記フレーム材に、前記バルコニーを設ける建物本体側に突出し、前記建物本体に載置される引掛け片が連結されるように構成することができる。
【００１３】
さらに、前記袖壁部の下端付近の前記フレーム材に、前記バルコニーを設ける建物本体側に連結するための連結手段を設けることができる。
【００１４】
そして、前記袖壁部の前記建物本体側とは反対側の側端間に、意匠性に富んだ手摺材を取り付けることができる。
【発明の効果】
【００１５】
このように構成された本発明のバルコニー構造は、床部の両側縁に袖壁部が立設されており、その袖壁部の上端間には屋根部が架け渡されている。
【００１６】
このため、バルコニーを張り出させる建物本体と対峙する箇所が多くなり、連結箇所を分散させて荷重が集中しないようにすることができる。
【００１７】
また、バルコニーでありながら壁と屋根とを備えたボックス形の外観を創出できるので、斬新な外観の建物とすることができる。
【００１８】
さらに、このようなバルコニーがユニット化されていれば、品質の高いバルコニーを建物本体に容易に取り付けることができる。
【００１９】
また、バルコニーユニットの床部、袖壁部及び屋根部をフレーム材と面材とによって構成する場合は、各部をパネル化して容易に組み立てることができる。
【００２０】
さらに、袖壁部の上端付近のフレーム材に建物本体に載置させる引掛け片を設けることで、バルコニーユニットの荷重を鉛直方向の荷重として建物本体に作用させることができる。この結果、建物本体に作用する水平方向の荷重を低減することができる。
【００２１】
また、袖壁部の上端付近では引掛け片を建物本体に載置し、下端付近では連結手段により連結することで、建物本体にバランスよくバルコニーの荷重を作用させることができる。
【００２２】
さらに、床部と袖壁部と屋根部とによってボックス形の安定した構造に組み立てられたバルコニーユニットであれば、意匠性に富んだ様々な形態の手摺材を取り付けることができる。
【発明を実施するための最良の形態】
【００２３】
以下、本発明の最良の実施の形態について図面を参照して説明する。
【００２４】
図１は、本実施の形態のバルコニー構造を備えたバルコニー付き建物１００の構成を示した斜視図である。また、図２は、バルコニー構造を構成するバルコニーユニット２を建物本体としてのユニット建物１０に取り付ける工程の概要を説明する説明図である。
【００２５】
まず、図１，２を参照しながらバルコニー付き建物１００の構成から説明すると、このようなバルコニー付き建物１００は、複数の建物ユニット１Ａ−１Ｆを上下左右に連結して構成されるユニット建物１０と、そのユニット建物１０の外壁１０ａから張り出されるバルコニーユニット２とから主に構成される。
【００２６】
このユニット建物１０は、図２に示すように、１階に設置される建物ユニット１Ｂ，１Ｄの上に２階の建物ユニット１Ａ，１Ｃが設置されており、その２階の一つの建物ユニット１Ａの前面にバルコニーユニット２が取り付けられる。
【００２７】
このバルコニーユニット２は、バルコニーの床を形成する床部としての床パネル４と、床パネル４の対向する側縁に立設される袖壁部としての袖壁パネル５，５と、袖壁パネル５，５の上端間に架け渡される屋根部としての屋根パネル３とを備えている。
【００２８】
また、袖壁パネル５，５の上端付近には、ユニット建物１０側に突出し、ユニット建物１０の上面に載置される引掛け片６，６が連結されている。さらに、その反対側の軒先側には手摺材７が取り付けられる。
【００２９】
続いて、屋根パネル３、床パネル４及び袖壁パネル５の詳細な構成について、図３−５を参照しながら説明する。
【００３０】
屋根パネル３は、図３に示すように、平行に配置されたフレーム材としての屋根フレーム３１，３２と、それらの間に架け渡される複数のたる木３４，・・・と、それらのたる木３４，・・・に釘などで固定される面材としての屋根面板３３，・・・とからパネル状に組み立てられる。
【００３１】
この屋根フレーム３１，３２は鋼材で形成された構造部材であり、軒先側に配置される屋根フレーム３１の側面には外壁板３５，・・・が貼り付けられる。
【００３２】
また、屋根パネル３の下面には、図１２に示すように、たる木３４に直交する方向に受木桟３６１を架け渡し、その下面に軒天井３６と軒先見切３８を取り付ける。
【００３３】
さらに、屋根面板３３，・・・の上面は、ＳＵＳ鋼板やルーフィング材で防水仕上げ部３３１を形成する。但し、防水仕上げ部３３１は、ユニット建物１０や屋根パラペット３７と連結する部分については仮止めにしておき、現地で仕上げることができる。
【００３４】
また、床パネル４は、図４に示すように、平行に配置されたフレーム材としての床フレーム４１，４２と、それらの間に架け渡される複数のたる木４４，・・・と、それらのたる木４４，・・・に釘などで固定される面材としての床面板４３，・・・とからパネル状に組み立てられる。
【００３５】
この床フレーム４１，４２は鋼材で形成された構造部材であり、軒先側に配置される床フレーム４１の側面には外壁板４５，・・・が貼り付けられる。
【００３６】
また、図１１に示すように、床面板４３，・・・の上面は、ＳＵＳ鋼板やルーフィング材で防水仕上げ部４３１を形成する。
【００３７】
さらに、袖壁パネル５は、図５に示すように、平行に立設されるフレーム材としての柱フレーム５１，５２と、その上端間及び下端間に横架されるフレーム材としての梁フレーム５３，５４と、図５（Ａ）に示すようにフレーム材の外面側に貼り付けられる面材としての外壁面板５５と、図５（Ｂ）に示すようにフレーム材の内面側に貼り付けられる面材としての内壁面板５６とからパネル状に組み立てられる。
【００３８】
この柱フレーム５１，５２及び梁フレーム５３，５４は鋼材で形成された構造部材である。また、図５（Ｂ）に示すように、袖壁パネル５の内面側の下縁部には、複数の小根太５８，・・・が突出している。
【００３９】
さらに、軒元側の柱フレーム５２の上端側面には、ユニット建物１０方向に向けて延出される引掛け片６が連結されている。
【００４０】
そして、このようにして組み立てられた屋根パネル３、床パネル４及び袖壁パネル５，５を、図６に示すようにボックス形に組み立てる。この各パネル間の接合は、フレーム材を介してボルト（図示せず）によっておこなうことで、簡単にバルコニーをユニット化することができる。また、溶接で接合する場合のように所定の品質に保つのが難しかったり、溶接ひずみが発生したりすることがない。
【００４１】
また、図７に示すように、ボックス形に組み立てたバルコニーユニット２の軒先側の柱フレーム５１，５１間には、手摺材７を構成する笠木７１が架け渡され、笠木７１と床パネル４の床フレーム４１との間には、手摺材７を構成するガラスパネル７２が取り付けられる（図１１参照）。
【００４２】
以上のようにして工場で製作されたバルコニーユニット２は、建築現場において、図２に示すように引掛け片６，６を建物ユニット１Ａの上面に引っ掛けるようにして載置させることで取り付けられる。
【００４３】
この建物ユニット１Ａは、図８に示すように、Ｃ形鋼材からなる床梁１１と妻側床梁１１１とが矩形に組まれた隅角部に、角形鋼管製の柱１３，・・・が立設され、その上端間にＣ形鋼材からなる天井梁１２と妻側天井梁１２１とが矩形に連結されている。また、妻側天井梁１２１の上面には、建物ユニット１Ａに屋根を設置するための屋根フレーム１６が取り付けられている。
【００４４】
さらに、バルコニーユニット２を取り付ける側の天井梁１２の上面には、断面視略Ｌ字形の取付けフレーム１７が固定されている。
【００４５】
また、同じくバルコニーユニット２を取り付ける側の床梁１１の側面には、略Ｌ字形の受け金具１５，１５が間隔を置いて配置され、ビス１５ａ，・・・で固定されている。さらに、柱１３，１３の下端側面には、バルコニーユニット２と連結するためのボルト孔１４，１４がそれぞれ穿孔されている。
【００４６】
ここで、図９に建物ユニット１Ａにバルコニーユニット２を連結する作業工程の詳細を説明する斜視図を示した。また、図１０には、建物ユニット１Ａとバルコニーユニット２との上部及び下部の連結部の拡大斜視図を示した。
【００４７】
このバルコニーユニット２を取り付けるには、まずクレーンでバルコニーユニット２を吊り上げて、図９に示すよう、引掛け片６が建物ユニット１Ａの屋根フレーム１６の切欠部１６ａに格納されるように引っ掛ける。この際、建物ユニット１Ａの柱１３の上端面から上方に突出する接合ボルト８４ａに、引掛け片６の下面に穿孔されたボルト孔８４を挿通させる。
【００４８】
また、バルコニーユニット２の下部を連結する際には、受け金具１５に床フレーム４２を載せるとともに、建物ユニット１Ａの柱１３下端から側方に突出するガイドピン１４１をバルコニーユニット２側の孔（図示せず）に差し込んで位置合わせをおこなう。
【００４９】
そして、受け金具１５に対しては、床フレーム４２の下面に設けた連結手段としてのボルト孔８２，８２に通したボルト８２ａ，８２ａとナット８２ｂ，８２ｂとによって連結をおこなう。
【００５０】
また、図１０（Ａ）に示すように、引掛け片６に設けたボルト孔８３を介して妻側天井梁１２１と引掛け片６とを、ボルト８３ａとナット８３ｂで連結する。さらに、引掛け片６の内部に突出した接合ボルト８４ａにはナット８４ｂを嵌めて締め付ける。
【００５１】
さらに、建物ユニット１Ａの取付けフレーム１７とバルコニーユニット２の屋根フレーム３２との間には、スペーサ８５３を介在させてボルト８５１とナット８５２で連結する。
【００５２】
また、図１０（Ｂ）に示すように、袖壁パネル５の軒元側の柱フレーム５２の下端には、連結手段としてボルト孔８１，８１が設けられている。そして、バルコニーユニット２側のボルト孔８１，８１にボルト８１ａ，８１ａをそれぞれ通し、建物ユニット１Ａ側のボルト孔１４，１４（図９参照）を挿通させたボルト８１ａ，８１ａにナット（図示せず）を捻じ込んで連結をおこなう。
【００５３】
図１１は、建物ユニット１Ａとバルコニーユニット２とを連結して仕上げをおこなった状態の床パネル４付近の断面図を示したもので、図１２は屋根パネル３付近の断面図を示したものである。
【００５４】
床パネル４には、図１１に示すように、たる木４４の下面に受木桟４６２を架け渡し、軒天井４６、軒先見切４６１などを取り付ける。
【００５５】
また、天井パネル３には、図１２に示すように、その上面の軒先側に屋根パラペット３７を取り付け、仮止めしてあった防水仕上げ部３３１との接続をおこなう。また、この防水仕上げ部３３１は、軒元側でも建物ユニット１Ａとの接続をおこなう。
【００５６】
さらに、図示していないが、屋根パネル３の軒天井３６には、ダウンライトを取り付けることができる。
【００５７】
次に、本実施の形態のバルコニー構造及びバルコニーユニット２の作用について説明する。
【００５８】
このように構成された本実施の形態のバルコニー構造は、床部となる床パネル４の両側縁に袖壁部としての袖壁パネル５，５が立設されており、その袖壁パネル５，５の上端間には屋根部として屋根パネル３が架け渡されている。
【００５９】
すなわち、バルコニーを張り出させるユニット建物１０に対しては、床パネル４の軒元側の端面、袖壁パネル５，５の軒元側の端面及び屋根パネル３の軒元側の端面と多くの箇所で対峙することになる。
【００６０】
このため、連結箇所を分散させて荷重が集中しないようにすることができる。
【００６１】
本実施の形態のバルコニーユニット２には、袖壁パネル５の上端付近の柱フレーム５２に、ユニット建物１０の建物ユニット１Ａに載置させる引掛け片６が設けられている。
【００６２】
そして、この引掛け片６を建物ユニット１Ａの上面に載せると、バルコニーユニット２の荷重が鉛直方向の荷重としてユニット建物１０に作用し、ユニット建物１０に作用する水平方向の荷重を低減することができる。すなわち、ユニット建物１０は、水平方向の水平耐力に比べて鉛直耐力の方に余裕があるので、バルコニーを設けることによる水平荷重の増加を抑え、経済的に安定した構造とすることができる。
【００６３】
また、袖壁パネル５の上端付近では引掛け片６を建物ユニット１Ａに載置し、柱フレーム５２の下端付近ではボルト孔８１に通したボルト８１ａによって連結することで、バルコニーユニット２の上下がユニット建物１０に固定されて、バランスよくバルコニーの荷重をユニット建物１０に作用させることができる。
【００６４】
また、バルコニーでありながら壁と屋根とを備えたボックス形の外観を創出できるので、斬新な外観の建物とすることができる。
【００６５】
さらに、工場であれば、品質の高いバルコニーユニット２を製作することができる。また、バルコニーユニット２のようにユニット化されていれば、ユニット建物１０に容易に取り付けることができる。
【００６６】
また、床パネル４、袖壁パネル５及び屋根パネル３によってバルコニーユニット２を組み立てるようにすれば、ボルトなどを使って容易に組み立てることができる。
【００６７】
さらに、構造部材であるフレーム材と面材とによって構成されたパネルであれば、フレーム材を接合していくことで構造的に安定した枠組構造を容易に形成することができる。
【００６８】
また、床パネル４と袖壁パネル５，５と屋根パネル３とによってボックス形の安定した構造に組み立てられたバルコニーユニット２であれば、手摺材７に荷重を負担させる必要がないので、意匠性に富んだ様々な形態の手摺材７を取り付けることができる。
【００６９】
以上、図面を参照して、本発明の最良の実施の形態を詳述してきたが、具体的な構成は、この実施の形態に限らず、本発明の要旨を逸脱しない程度の設計的変更は、本発明に含まれる。
【００７０】
例えば、前記実施の形態では、バルコニーユニット２を用いてバルコニー構造を構築したが、これに限定されるものではなく、現地で床部と袖壁部と屋根部とをボックス形に構築するものであってもよい。
【００７１】
また、前記実施の形態では、バルコニーユニット２に引掛け片６を設けて建物ユニット１Ａの上面に載置させたが、これに限定されるものではなく、引掛け片６を設けずに、床パネル４の軒元側の端面、袖壁パネル５，５の軒元側の端面及び屋根パネル３の軒元側の端面の複数個所で、建物ユニット１Ａにボルトなどで連結する構成であってもよい。
【００７２】
さらに、前記実施の形態では、床パネル４と袖壁パネル５，５と屋根パネル３とを組み立ててバルコニーユニット２を製作したが、これに限定されるものではなく、フレーム材でボックス形の骨組構造体を組み立てた後に面材を貼り付ける構成であってもよい。
【００７３】
また、前記実施の形態では、引掛け片６を建物ユニット１Ａの上面に載置したが、これに限定されるものではなく、ユニット建物１０の側面に引掛け片６を挿入する穴を設けておき、その穴に引掛け片６を挿入して載置する構成であってもよい。
【図面の簡単な説明】
【００７４】
【図１】本発明の最良の実施の形態のバルコニー付き建物の外観を説明する斜視図である。
【図２】ユニット建物にバルコニーユニットを取り付ける工程を説明する説明図である。
【図３】屋根パネルの構成を説明する説明図である。
【図４】床パネルの構成を説明する説明図である。
【図５】袖壁パネルの構成を説明する説明図であって、（Ａ）は外壁側から見た斜視図、（Ｂ）は内壁側から見た斜視図である。
【図６】バルコニーユニットを組み立てる工程を説明する説明図である。
【図７】バルコニーユニットに手摺材を組み付ける工程を説明する説明図である。
【図８】建物ユニットの骨組構造の詳細な構成を説明する斜視図である。
【図９】建物ユニットにバルコニーユニットを取り付ける工程を詳細に説明する説明図である。
【図１０】建物ユニットとバルコニーユニットの連結部の構成を詳細に説明する図であって、（Ａ）は連結部の上部の拡大斜視図、（Ｂ）は連結部の下部の拡大斜視図である。
【図１１】ユニット建物にバルコニーユニットを連結した状態のバルコニーの床付近の構成を説明する断面図である。
【図１２】ユニット建物にバルコニーユニットを連結した状態のバルコニーの屋根付近の構成を説明する断面図である。
【符号の説明】
【００７５】
１０          ユニット建物（建物本体）
２            バルコニーユニット
３            屋根パネル（屋根部）
３１，３２    屋根フレーム（フレーム材）
３３          屋根面板（面材）
４            床パネル（床部）
４１，４２    床フレーム（フレーム材）
４３          床面板（面材）
５            袖壁パネル（袖壁部）
５１，５２    柱フレーム（フレーム材）
５３，５４    梁フレーム（フレーム材）
５５          外壁面板（面材）
５６          内壁面板（面材）
６            引掛け片
７            手摺材
８１，８２    ボルト孔（連結手段）
【図１】
0005103108.tif 000002
【図２】
0005103108.tif 000003
【図３】
0005103108.tif 000004
【図４】
0005103108.tif 000005
【図５】
0005103108.tif 000006
【図６】
0005103108.tif 000007
【図７】
0005103108.tif 000008
【図８】
0005103108.tif 000009
【図９】
0005103108.tif 000010
【図１０】
0005103108.tif 000011
【図１１】
0005103108.tif 000012
【図１２】
0005103108.tif 000013